(57)【要約】【課題】リードの先端部に取り付けることにより、リードを安全に把持することができ、かつコストを高くすることなくリードの長さを調節できるようにする。【解決手段】犬その他のペットの首輪又は胴輪に連結されるとともに連結側と反対側の先端部が輪状に形成されたリード１の先端部に取り付けるペットリード用補助具１０であって、外形形状が略楕円形又は略小判形の把持可能な枠体であって、その長軸が直線、略円弧形又は略く形に形成された基体１１と、基体１１の長軸に沿って切断した断面形状が、略Ｕ形、略Ｖ形、又は略凹形に形成された溝部１２とを備え、リード１の先端部の輪状の部分を、基体１１の外形に沿って溝部１２内に配置されるように取り付け、溝部１２に沿ってリードを巻き付け可能とした。【選択図】図６
2008061611.tif 000002
【特許請求の範囲】
【請求項１】
犬その他のペットの首輪又は胴輪に連結されるとともに連結側と反対側の先端部が輪状に形成されたリードの前記先端部に取り付けるペットリード用補助具であって、
外形形状が略楕円形又は略小判形の把持可能な枠体であって、その長軸が直線、略円弧形又は略く形に形成された基体と、
前記基体の長軸に沿って切断した断面形状が、略Ｕ形、略Ｖ形、又は略凹形に形成された溝部と
を備え、
前記リードの前記先端部の輪状の部分を、前記基体の外形に沿って前記溝部内に配置されるように取り付け、前記溝部に沿って前記リードを巻き付け可能とした
ことを特徴とするペットリード用補助具。
【請求項２】
請求項１に記載のペットリード用補助具において、
前記基体の少なくとも１箇所に設けられ、前記溝部の両端部をまたぐように配置された略棒状のストッパを備える
ことを特徴とするペットリード用補助具。
【発明の詳細な説明】
【技術分野】
【０００１】
本発明は、犬その他のペットのリードの先端（飼い主が把持する側）に取り付けて使用するペットリード用補助具に関するものである。
【背景技術】
【０００２】
従来より、犬その他のペットを散歩等させる場合には、ペットの首輪又は胴輪にリードを取り付けてその先端部を飼い主が把持している。
ここで、ペット用のリードとして、例えば特許文献１の技術では、リードのペット側の紐を硬化させることにより、足へのまとわりつきを防止する技術が提案されている。
また、特許文献２の技術では、２匹の犬を散歩させるときに左右のリードが絡まないようにした技術が提案されている。
【特許文献１】特開平１１−１６４６３２号公報
【特許文献２】特開２００５−３２８８１４号公報
【発明の開示】
【発明が解決しようとする課題】
【０００３】
前述の従来の技術において、特許文献１の図１に開示されているように、リードの先端部は、一般には紐が輪状に形成されたものであり、飼い主は、この輪状の中に手（指）を挿入し、この輪状部分を把持するとともに、手にリードを巻き付け、リードの長さを調節して散歩等を行う。
【０００４】
ここで、ペットが例えば犬の場合には、チワワやミニチュア・ダックスフンドのような小型犬から、ゴールデン・レトリーバーやシベリアン・ハスキーのような大型犬等、大きさが様々である。
そして、小型犬のような比較的非力な犬の場合には、その犬が突然走り出したとしても、飼い主は、比較的容易にそれを制止することができる。
これに対し、大型犬の場合には、引張力が数１０ｋｇ以上の力を有しているので、突然走り出した場合、リードで手が締め付けられ、うっ血やけがをするおそれがあるという問題がある。
【０００５】
一方、特許文献２の技術では、飼い主が把持する部分には、取っ手が設けられているので、リードで締め付けられることはない。
しかし、この技術では、リードの長さを調節することができないという問題がある。
これに対し、取っ手部分に巻き尺のような機構を設け、リードの長さを調節できるリードも知られている。
しかし、このような機構を設けるとコストが高くなるとともに、その機構が壊れると、リードを収納することができなくなる、あるいはリードを引き出すことができなくなるという問題がある。
【０００６】
したがって、本発明が解決しようとする課題は、リードの先端部に取り付けることにより、リードを安全に把持することができ、かつコストを高くすることなくリードの長さを調節できるようにすることである。
【課題を解決するための手段】
【０００７】
請求項１の発明は、犬その他のペットの首輪又は胴輪に連結されるとともに連結側と反対側の先端部が輪状に形成されたリードの前記先端部に取り付けるペットリード用補助具であって、外形形状が略楕円形又は略小判形の把持可能な枠体であって、その長軸が直線、略円弧形又は略く形に形成された基体と、前記基体の長軸に沿って切断した断面形状が、略Ｕ形、略Ｖ形、又は略凹形に形成された溝部とを備え、前記リードの前記先端部の輪状の部分を、前記基体の外形に沿って前記溝部内に配置されるように取り付け、前記溝部に沿って前記リードを巻き付け可能としたことを特徴とする。
【０００８】
請求項２の発明は、請求項１に記載のペットリード用補助具において、前記基体の少なくとも１箇所に設けられ、前記溝部の両端部をまたぐように配置された略棒状のストッパを備えることを特徴とする。
【発明の効果】
【０００９】
本発明によれば、従来より広く用いられている（市販されている）先端部が輪状に形成されたリードをそのまま使用して、リードの先端部を安全に（うっ血やけがのおそれがなく）把持することができる。
また、コストを高くすることなく、リードの長さを容易に、かつ安定して調節することができる。
【００１０】
さらにまた、枠状なので、手にかかるリードの力を分散させることができる。
さらに、使用しないときは、リードをリール状に巻き付けておくことができるので、リードの保管が容易となり、さらに保管時にリードの絡まりを防止することができる。
【発明を実施するための最良の形態】
【００１１】
以下、図面等を参照して、本発明の一実施形態について説明する。
図１は、本発明のペットリード用補助具１０（以下、単に「補助具１０」という。）を示す外観斜視図である。また、図２は、図１の補助具１０を三角法で図示した平面図、正面図及び側面図である。補助具１０は、犬その他のペット（例えば、猫、豚、馬、羊等。家畜を含む。）の首輪又は胴輪（馬にあっては、鼻輪）に連結されるとともに連結側と反対側の先端部が輪状に形成されたリードの先端部に取り付けられるものである。
図１に示すように、補助具１０は、基体１１と、溝部１２と、ストッパ１３とを備える。
【００１２】
基体１１は、例えばプラスチック、具体的にはＰＰ（ポリプロピレン）、ＡＢＳ（アクリロニトリル−スチレン−ブタジエン共重合樹脂）、ＰＵＲ（ポリウレタン）等の剛性を有する樹脂や、木材、硬質ゴム、鉄やアルミニウム等の金属又は軽金属から、成形加工又は切削加工により形成されている。
【００１３】
基体１１は、図２に示すように、正面から見ると、外形形状が略小判形の把持可能な枠体であって、その長軸が略円弧状に（曲率を有するように）形成されている。なお基体１１は、これに限らず、略楕円形であっても良く、長軸は、直線、又は略く形に形成されたものであっても良い。
溝部１２は、基体１１の長軸に沿って切断した断面形状が、略Ｕ形に形成されたものである。なお、これに限らず、溝部１２は、略Ｖ形、又は略凹形であっても良い。
【００１４】
ストッパ１３は、略棒状のものであり、図２に示すように、基体１１の１箇所（長軸方向における略中央部）に設けられ、溝部１２の両端部をまたぐように配置されている。なお、ストッパ１３は、２箇所以上に設けても良く、どの位置に取り付けても良い（どの位置に取り付けても、効果は同一である）。
【００１５】
図３は、ストッパ１３の取り付けを示す斜視図である。
ストッパ１３は、中空円筒形のパイプ１３ａ（金属製又は樹脂製）と、ねじ１３ｂとから構成されている。一方、基体１１には、ねじ穴１１ａが形成されている。
そして、溝部１２をまたぐとともにねじ穴１１ａと同軸上に位置するようにパイプ１３ａを配置するとともに、ねじ１３ｂをねじ穴１１ａに貫通させ、パイプ１３ａ内を通して、溝部１２の反対側にねじ込むことで、ストッパ１３が取り付けられる。
なお、溝部１２の反対側（ねじ１３ｂの先端が位置する側）に貫通穴を形成するとともに、この貫通穴内にナットを嵌合させて、ねじ１３ｂとナットを用いて固定しても良い。
【００１６】
次に、補助具１０を使用方法について説明する。
本発明の補助具１０は、犬その他のペットの首輪又は胴輪に連結されるとともに先端部が輪状に形成されたリードの先端部に取り付けるものである。
図４は、補助具１０へのリード１の取り付け方法の第１実施形態を示す斜視図である。図４では、先ず、ストッパ１３を取り外し、リード１の先端部の輪状部分を、基体１１の外形に沿って溝部１２内に配置されるようにリード１を取り付けている。
この状態で、次にストッパ１３を取り付ける。ストッパ１３は、溝部１２とストッパ１３との間をリード１が通るように取り付ける。
【００１７】
図５は、補助具１０へのリード１の取り付け方法の第２実施形態を示す斜視図である。図５に示すように、リード１の先端部の輪状の部分を、ストッパ１３の下を（ストッパ１３と溝部１２との間を）通し、さらに輪状の部分の中をリード１が通るようにしている。このようにすれば、図４に示した方法と異なり、ストッパ１３を取り外すことなくリード１を取り付けることができる（したがって、取付時にドライバーは不要となり、取り付けが容易である）。
【００１８】
図６は、補助具１０にリード１を巻き付けた状態を示す斜視図である。図６に示すように、溝部１２に沿ってリード１を巻き付けることで、リード１の長さを調節することができる。また、リード１の巻き付けの際に、ストッパ１３がリード１の回転防止となる。
【００１９】
なお、図５に示したように取り付けた場合には、ストッパ１３が無くとも、リード１の先端部の輪状部分が回転せずに巻き付けることができる。
また、図４に示したように取り付ける場合においては、ストッパ１３が無くとも、リード１を最初の巻き付け時に、リード１を指で押さえれば、巻き付けることが可能である。
【００２０】
図７及び図８は、補助具１０の握り方を示す斜視図である。図７では、ストッパ１３が外側となるように補助具１０を握ったときを示し、図８では、ストッパ１３が内側となるように補助具１０を握ったときを示している。このように、本実施形態の補助具１０では、握り方に方向はなく、好みの方向で握ることができる。
【図面の簡単な説明】
【００２１】
【図１】本発明のペットリード用補助具を示す外観斜視図である。
【図２】図１の補助具を三角法で図示した平面図、正面図及び側面図である。
【図３】ストッパの取り付けを示す斜視図である。
【図４】補助具へのリードの取り付け方法の第１実施形態を示す斜視図である。
【図５】補助具へのリードの取り付け方法の第２実施形態を示す斜視図である。
【図６】補助具にリードを巻き付けた状態を示す斜視図である。
【図７】補助具の握り方を示す斜視図である。
【図８】補助具の握り方を示す斜視図である。
【符号の説明】
【００２２】
１  リード
１０  ペットリード用補助具
１１  基体
１１ａ  ねじ穴
１２  溝部
１３  ストッパ
１３ａ  パイプ
１３ｂ  ねじ
【図１】
2008061611.tif 000003
【図２】
2008061611.tif 000004
【図３】
2008061611.tif 000005
【図４】
2008061611.tif 000006
【図５】
2008061611.tif 000007
【図６】
2008061611.tif 000008
【図７】
2008061611.tif 000009
【図８】
2008061611.tif 000010